(57)【要約】      （修正有）【課題】固形石鹸を泡立てネットに入れて泡立てる際、よりきめ細かく泡立てすることができ、固形石鹸が泡立てネット内からに落ちにくい形態であること。また、一度石鹸をネット内に入れておけば、衛生的に保管でき、ネットの外に出さずに最後まで使い切ることができる泡立てネットを提供する。【解決手段】両端が開口する筒状のネット内に１つ以上のスポンジ片を収容させた後、前記両端の開口を縁に沿って直線状に溶着し、閉じて形成した封筒状の泡立てネットであって、前記筒状のネットの両端の閉じ部が、交差又は捻れの位置関係になるように形成されており、両閉じ部を揃えるように折り曲げた後、紐と一緒に結び止め、両側が開かれた状態にあるネットのどちらか一方の開口を閉じた泡立てネット。【選択図】図１
0003142536.tif 000002
【実用新案登録請求の範囲】
【請求項１】
本考案は、化学繊維で製造された両端が開口する筒状のネット内に１つ以上のスポ
ンジ片を収容させた後、前記両端の開口を縁に沿って直線状に溶着し、閉じて形成
した封筒状の泡立てネットであって、一方の閉じ部の一端部と、他方の閉じ部のい
ずれか一方の端部とを結ぶ直線の方向と、前記筒状のネットの伸正方向とが、交差
又は捻れの位置関係になるように前記閉じ部が形成されており、両閉じ部を揃える
ように折り曲げた後、紐と一緒に結び止め、両側が開かれた状態にあるネットのど
ちらか一方の開口を閉じた泡立てネット。
【請求項２】
両端が開口する筒状のネット内に、水分を吸収するウレタン素材のスポンジを細か
く切断し、一つ以上のスポンジ片を収容させたことを特徴とする泡立てネット。
【請求項３】
筒状になっているネット開口する両端を縁に沿って直線状に溶着した封筒状のネッ
トにおいて、一方の直線状の閉じ部が、他方の直線状の閉じ部のにかけて９０度に
交差又は捻れていること特徴とする泡立てネット。
【請求項４】
両閉じ部が捻れた位置関係になった封筒状のネットの両端部を揃えるように折り曲
げ、前記揃えたネットの対向する端部の間に、環状の紐を挟んで結び止めた後、両
側の開かれた状態にあるネットの開口されたどちらか一方を閉じたことを特長とす
る泡立てネット。
【考案の詳細な説明】
【技術分野】
【０００１】
固形石鹸で顔や体を洗う際、泡立てネットによって短時間できめ細かく泡立たせる
ことができるとともに、使用後に泡立てネット内に固形石鹸を保管しておく事がで
きる固形石鹸用泡立てネット。
【背景技術】
【０００２】
例えば、特許文献１に記載されている泡立てネットの形態では、石鹸を入れて泡立
てる際、泡立てネットから石鹸が落ちやすく、きめ細かい泡を立たせるのに少し時
間がかかる。また、他の従来の物でも、石鹸を使用した後別の場所に置いておくと、
水切れが悪く固形石鹸が変形しやすくなり、また不衛生である。
【特許文献１】特開平２００６−５１０４９
【考案の開示】
【考案が解決しようとする課題】
【０００３】
固形石鹸を泡立てネットに入れて泡立てる際、よりきめ細かく泡立てすることがで
き、固形石鹸が泡立てネット内からに落ちにくい形態であること。また、一度石鹸
をネット内に入れておけば、衛生的に保管でき、ネットの外に出さずに最後まで使
い切ることができる泡立てネットである。
【課題を解決するための手段】
【０００４】
本考案は、化学繊維で製造された両端が開口する筒状のネット内に１つ以上のスポ
ンジ片を収容させた後、前記両端の開口を縁に沿って直線状に溶着し、閉じて形成
した封筒状の泡立てネットであって、一方の閉じ部の一端部と、他方の閉じ部のい
ずれか一方の端部とを結ぶ直線の方向と、前記筒状のネットの伸正方向とが、交差
又は捻れの位置関係になるように前記閉じ部が形成されており、両閉じ部を揃える
ように折り曲げた後、紐と一緒に結び止め、両側が開かれた状態にあるネットのど
ちらか一方の開口を閉じた泡立てネット。
【０００５】
両端が開口する筒状のネット内に、水分を吸収するウレタン素材のスポンジを細か
く切断し、一つ以上のスポンジ片を収容させたことを特徴とする泡立てネット。
【０００６】
筒状になっているネット開口する両端を縁に沿って直線状に溶着した封筒状のネッ
トにおいて、一方の直線状の閉じ部が、他方の直線状の閉じ部のにかけて９０度に
交差又は捻れていること特徴とする泡立てネット。
【０００７】
両閉じ部が捻れた位置関係になった封筒状のネットの両端部を揃えるように折り曲
げ、前記揃えたネットの対向する端部の間に、環状の紐を挟んで結び止めた後、両
側の開かれた状態にあるネットの開口されたどちらか一方を閉じたことを特長とす
る泡立てネット。
【考案の効果】
【０００８】
泡立てネットに収容されたスポンジ片に水分を吸収させ、捻れた状態のネットで摩
擦することで、きめの細かい泡を立てることが出来るので、固形石鹸の効果をより
引き出す事が出来る。固形石鹸を一度ネットの中に入れると、そのまま使いきるこ
とが出来るので、石鹸を出し入れする手間が省ける。使用後も掛けて保管しておけ      ば、自然に水を切る事になり、衛生的である。
【考案を実施するための最良の形態】
【０００９】
この発明の実施形態を図１に示す
化学繊維で製造された両端が開口している筒状のネットの一端を縁に沿って直線状
に溶着して閉じ、図２（ａ）のような封筒状にする。封筒状になったネットの開口
部から、細かく切断された２のスポンジ片を一つ以上収容する。図２（ｂ）の封筒
状のネットの開口部の点３と点４が接するように縁に沿って直線状に溶着し、図２    （ｃ）のように封筒状になったネットの両端の閉じ部が、交差又は捻れた関係になる
よう閉じる。
【００１０】
図２（ｃ）の捻れた封筒状のネットの４つの角を、それぞれ５、６、７、８とする。    結び目のある環状になった紐９を用意する。５と６を直行させた辺の中点の約１５
ｍｍネットの中心に移動した点を１０とし、９の紐を図２（ｄ）のように１０に配
置する。５と７を結んだ直線上の中点を１１とし、封筒状になったネットの角５と
７が接し、両端を揃えるように図２（ｅ）のようにネットを折り曲げる。このとき、    紐をネットで挟むように折り曲げる。５と７が接する部分と中点１１を直行させ、
ネットが重なった辺を図２（ｆ）のように縁に沿って直線状に溶着する。
【００１１】
紐の結び目を配置した点１０を中心に、図２（ｇ）のように前記揃えたネットの両
端を集約し、１２の輪ゴム（大）で縛り止める。ネットの内側にある紐９の環状部      が、図２（ｈ）のようにネットの表に出るように全体を裏返す。ネットと紐の付け
根からネットの方向に約２０ｍｍ移動した部分を１４の輪ゴム（小）で縛る。
【実施例】
【００１２】
この実施形態によれば、固形石鹸をネットに入れて摩擦する際に、固形石鹸がネッ
トの外に出にくいので作業がし易く、ネットに収容されたスポンジ片に水分を吸収
させ捻れを有するネットで石鹸を摩擦することで、短時間でよりきめ細かく泡立て
することができる。また、使用後フックなどに掛けて保管しておくことができるの
で衛生的である。
【産業上の利用可能性】
【００１３】
固形石鹸をきめ細かく泡立たせる事ができる泡立てネットを製作することができる。        
【図面の簡単な説明】
【００１４】
【図１】本考案の一実施形態を示す斜視図である。
【図２（ａ）】本考案の製造工程の説明図である。
【図２（ｂ）】本考案の製造工程の説明図である。
【図２（ｃ）】本考案の製造工程の説明図である。
【図２（ｄ）】本考案の製造工程の説明図である。
【図２（ｅ）】本考案の製造工程の説明図である。
【図２（ｆ）】本考案の製造工程の説明図である。
【図２（ｇ）】本考案の製造工程の説明図である。
【図２（ｈ）】本考案の製造工程の説明図である。
【図２（ｉ）】本考案の製造工程の説明図である。
【符号の説明】
【００１５】
１封筒状のネット
２スポンジ片
３封筒状のネットの開口部の一端
４封筒状のネットの開口部の一端
５捻れた封筒状のネットの４つの角の内の一点
６捻れた封筒状のネットの４つの角の内の一点
７捻れた封筒状のネットの４つの角の内の一点
８捻れた封筒状のネットの４つの角の内の一点
９環状に結んだ紐
１０紐を配置するネット上の位置
１１点５と点７を結ぶ直線の中点
１２輪ゴム（大）
１３輪ゴム（小）
【図１】
0003142536.tif 000003
【図２（ａ）】
0003142536.tif 000004
【図２（ｂ）】
0003142536.tif 000005
【図２（ｃ）】
0003142536.tif 000006
【図２（ｄ）】
0003142536.tif 000007
【図２（ｅ）】
0003142536.tif 000008
【図２（ｆ）】
0003142536.tif 000009
【図２（ｇ）】
0003142536.tif 000010
【図２（ｈ）】
0003142536.tif 000011
【図２（ｉ）】
0003142536.tif 000012
【手続補正書】
【提出日】平成20年4月3日(2008.4.3)
【手続補正１】
【補正対象書類名】実用新案登録請求の範囲
【補正対象項目名】全文
【補正方法】変更
【補正の内容】
【実用新案登録請求の範囲】
【請求項１】
本考案は、化学繊維で製造された両端が開口する筒状のネット内に１つ以上の
スポンジ片を収容させた後、前記両端の開口を縁に沿って直線状に溶着し、閉じて形成した封筒状の泡立てネットであって、一方の閉じ部の一端部と、他方の閉じ部のいずれか一方の端部とを結ぶ直線の方向と、前記筒状のネットの伸正方向とが、交差又は捻れの位置関係になるように前記閉じ部が形成されており、両閉じ部を揃えるように折り曲げた後、紐と一緒に結び止め、両側が開かれた状態にあるネットのどちらか一方の開口を閉じた泡立てネット。
【請求項２】
両端が開口する筒状のネット内に、水分を吸収するウレタン素材のスポンジを
細かく切断し、一つ以上のスポンジ片を収容させたことを特徴とする請求項１記載の泡立てネット。
【請求項３】
筒状になっているネットの開口する両端を縁に沿って直線状に溶着した封筒状
のネットにおいて、一方の直線状の閉じ部が、他方の直線状の閉じ部のにかけて９０度に交差又は捻れていること特徴とする請求項１記載の泡立てネット。
【請求項４】
両閉じ部が捻れた位置関係になった封筒状のネットの両端部を揃えるように折
り曲げ、前記揃えたネットの対向する端部の間に、環状の紐を挟んで結び止めた後、両側の開かれた状態にあるネットの開口されたどちらか一方を閉じたことを特徴とする請求項１記載の泡立てネット。